(57)【要約】【課題】  何らかの警告を示す要因が存在しているときでも、省エネルギーモードの移行要求があると、省エネルギーモードにして、電力の消費を低減することの可能な電子機器を提供する。【解決手段】  待機時に消費電力を抑制する省エネルギーモードを機器のモードの１つとして備えている電子機器であって、警告がある旨を表示する表示手段を省エネルギーモード時にも制御可能な表示部として備え、また機器のモードを省エネルギーモードに移行させる移行手段を備え、何らかの警告を示す要因が存在しているときでも、省エネルギーモードの移行要求があると、前記移行手段は、機器のモードを省エネルギーモードに移行させ、その際に、前記表示部は、警告がある旨の表示を省エネルギーモードの状態でも行なうようになっている。【選択図】      図２
2006194922.tif 000002
【特許請求の範囲】
【請求項１】
待機時に消費電力を抑制する省エネルギーモードを機器のモードの１つとして備えている電子機器であって、警告がある旨を表示する表示手段を省エネルギーモード時にも制御可能な表示部として備え、また機器のモードを省エネルギーモードに移行させる移行手段を備え、何らかの警告を示す要因が存在しているときでも、省エネルギーモードの移行要求があると、前記移行手段は、機器のモードを省エネルギーモードに移行させ、その際に、前記表示部は、警告がある旨の表示を省エネルギーモードの状態でも行なうようになっていることを特徴とする電子機器。
【請求項２】
請求項１記載の電子機器において、省エネルギーモード時に記録紙エンドの警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、記録紙充填のきっかけになりうる事象の検出機能を省エネルギーモードからの復帰要求として備えていることを特徴とする電子機器。
【請求項３】
請求項１記載の電子機器において、省エネルギーモード時にドア開の警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、ドア閉の検出機能を省エネルギーモードからの復帰要求として備えていることを特徴とする電子機器。
【請求項４】
請求項１記載の電子機器において、省エネルギーモード時にトナーエンドの警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、トナー充填のきっかけになりうる事象の検出機能を省エネルギーモードからの復帰要求として備えていることを特徴とする電子機器。
【請求項５】
請求項１記載の電子機器において、省エネルギーモード時に記録紙ジャムの警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、記録紙ジャム排除のきっかけになりうる事象の検出機能を省エネルギーモードからの復帰要求として備えていることを特徴とする電子機器。
【請求項６】
請求項１記載の電子機器において、省エネルギーモード時に原稿ジャムの警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、原稿ジャム排除のきっかけになりうる事象の検出機能を省エネルギーモードからの復帰要求として備えていることを特徴とする電子機器。
【請求項７】
請求項１乃至請求項６のいずれか一項に記載の電子機器において、前記表示部として、警告専用の表示部が設けられており、省エネルギーモード時に何らかの警告を示すべき要因が存在しているときに、該警告を、警告専用の表示部を点灯することによって表示することを特徴とする電子機器。
【請求項８】
請求項１乃至請求項６のいずれか一項に記載の電子機器において、前記表示部として、省エネルギーモードの状態であることを示す表示部が設けられており、省エネルギーモード時に何らかの警告を示すべき要因が存在しているときに、該警告を、省エネルギーモードの状態であることを示す表示部を点滅させることによって表示することを特徴とする電子機器。
【請求項９】
請求項１乃至請求項６のいずれか一項に記載の電子機器において、前記表示部として、省エネルギーモードの状態であることを示す表示部が設けられており、省エネルギーモード時に何らかの警告を示すべき要因が存在しているとき、該警告を、省エネルギーモードの状態であることを示す表示部の色を変えることによって表示することを特徴とする電子機器。
【請求項１０】
請求項１乃至請求項９のいずれか一項に記載の電子機器において、該電子機器は、複写機、または、プリンタ、または、ファクシミリ、または、複写機，ファクシミリ，プリンタのうちの少なくとも２つの機能をもつ複合機であることを特徴とする電子機器。
【請求項１１】
待機時に消費電力を抑制する省エネルギーモードを機器のモードの１つとして備えている電子機器の制御方法であって、何らかの警告を示す要因が存在しているときでも、省エネルギーモードの移行要求があると、機器のモードを省エネルギーモードに移行させ、その際に、警告がある旨の表示を省エネルギーモードの状態でも行なうことを特徴とする電子機器の制御方法。
【請求項１２】
何らかの警告を示す要因が存在しているときでも、省エネルギーモードの移行要求があると、機器のモードを省エネルギーモードに移行させ、その際に、警告がある旨の表示を省エネルギーモードの状態でも行なう処理をコンピュータに実現させるためのプログラム。
【請求項１３】
何らかの警告を示す要因が存在しているときでも、省エネルギーモードの移行要求があると、機器のモードを省エネルギーモードに移行させ、その際に、警告がある旨の表示を省エネルギーモードの状態でも行なう処理をコンピュータに実行させるためのプログラムを記録したコンピュータ読み取り可能な記録媒体。
【発明の詳細な説明】
【技術分野】
【０００１】
本発明は、待機時に消費電力を抑制する（例えば、待機中に最小限の回路のみに電源供給を行う）省エネルギーモードを備えている電子機器および電子機器の制御方法およびプログラムおよび記録媒体に関する。
【背景技術】
【０００２】
従来、例えば特許文献１には、待機時に主制御部に供給する電源を遮断して省エネルギー状態に移行し、省エネルギー状態では、ユーザーによる省エネルギー解除キーの押下、原稿セット、回線のリンギング信号、オフフック信号の検出を行い、これらのいずれかを検出すると、主電源及び主制御部に省エネルギー状態解除信号を送出する手段を備えた複合機が示されている。
【０００３】
【特許文献１】特開平８−２１４０９６号公報
【発明の開示】
【発明が解決しようとする課題】
【０００４】
しかしながら、従来の複合機においては、例えば記録紙が無い等の、警告を示す要因が生じているときには、省エネルギーモードに移行することを禁止しており、例えば記録紙が無いことをオペレータに知らせるためのみの目的で、省エネルギーモードに移行しないため、電力の消費が大きくなるという問題があった。
【０００５】
本発明は、複合機などの電子機器において、何らかの警告を示す要因が存在しているときでも、省エネルギーモードの移行要求があると、省エネルギーモードにして、電力の消費を低減することの可能な電子機器および電子機器の制御方法およびプログラムおよび記録媒体を提供することを目的としている。
【課題を解決するための手段】
【０００６】
上記目的を達成するために、請求項１記載の発明は、待機時に消費電力を抑制する省エネルギーモードを機器のモードの１つとして備えている電子機器であって、警告がある旨を表示する表示手段を省エネルギーモード時にも制御可能な表示部として備え、また機器のモードを省エネルギーモードに移行させる移行手段を備え、何らかの警告を示す要因が存在しているときでも、省エネルギーモードの移行要求があると、前記移行手段は、機器のモードを省エネルギーモードに移行させ、その際に、前記表示部は、警告がある旨の表示を省エネルギーモードの状態でも行なうようになっていることを特徴としている。
【０００７】
また、請求項２記載の発明は、請求項１記載の電子機器において、省エネルギーモード時に記録紙エンドの警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、記録紙充填のきっかけになりうる事象の検出機能を省エネルギーモードからの復帰要求として備えていることを特徴としている。
【０００８】
また、請求項３記載の発明は、請求項１記載の電子機器において、省エネルギーモード時にドア開の警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、ドア閉の検出機能を省エネルギーモードからの復帰要求として備えていることを特徴としている。
【０００９】
また、請求項４記載の発明は、請求項１記載の電子機器において、省エネルギーモード時にトナーエンドの警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、トナー充填のきっかけになりうる事象の検出機能を省エネルギーモードからの復帰要求として備えていることを特徴としている。
【００１０】
また、請求項５記載の発明は、請求項１記載の電子機器において、省エネルギーモード時に記録紙ジャムの警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、記録紙ジャム排除のきっかけになりうる事象の検出機能を省エネルギーモードからの復帰要求として備えていることを特徴としている。
【００１１】
また、請求項６記載の発明は、請求項１記載の電子機器において、省エネルギーモード時に原稿ジャムの警告を示すべき要因が存在しているときにも、省エネルギーモードの移行要求があると、前記移行手段は、機器のモードを省エネルギーモードに移行させ、その際に、前記表示部は、警告がある旨の表示を省エネルギーモードの状態でも行なうようになっており、原稿ジャム排除のきっかけになりうる事象の検出機能を省エネルギーモードからの復帰要求として備えていることを特徴としている。
【００１２】
また、請求項７記載の発明は、請求項１乃至請求項６のいずれか一項に記載の電子機器において、前記表示部として、警告専用の表示部が設けられており、省エネルギーモード時に何らかの警告を示すべき要因が存在しているときに、該警告を、警告専用の表示部を点灯することによって表示することを特徴としている。
【００１３】
また、請求項８記載の発明は、請求項１乃至請求項６のいずれか一項に記載の電子機器において、前記表示部として、省エネルギーモードの状態であることを示す表示部が設けられており、省エネルギーモード時に何らかの警告を示すべき要因が存在しているときに、該警告を、省エネルギーモードの状態であることを示す表示部を点滅させることによって表示することを特徴としている。
【００１４】
また、請求項９記載の発明は、請求項１乃至請求項６のいずれか一項に記載の電子機器において、前記表示部として、省エネルギーモードの状態であることを示す表示部が設けられており、省エネルギーモード時に何らかの警告を示すべき要因が存在しているとき、該警告を、省エネルギーモードの状態であることを示す表示部の色を変えることによって表示することを特徴としている。
【００１５】
また、請求項１０記載の発明は、請求項１乃至請求項９のいずれか一項に記載の電子機器において、該電子機器は、複写機、または、プリンタ、または、ファクシミリ、または、複写機，ファクシミリ，プリンタのうちの少なくとも２つの機能をもつ複合機であることを特徴としている。
【００１６】
また、請求項１１記載の発明は、待機時に消費電力を抑制する省エネルギーモードを機器のモードの１つとして備えている電子機器の制御方法であって、何らかの警告を示す要因が存在しているときでも、省エネルギーモードの移行要求があると、機器のモードを省エネルギーモードに移行させ、その際に、警告がある旨の表示を省エネルギーモードの状態でも行なうことを特徴としている。
【００１７】
また、請求項１２記載の発明は、何らかの警告を示す要因が存在しているときでも、省エネルギーモードの移行要求があると、機器のモードを省エネルギーモードに移行させ、その際に、警告がある旨の表示を省エネルギーモードの状態でも行なう処理をコンピュータに実現させるためのプログラムである。
【００１８】
また、請求項１３記載の発明は、何らかの警告を示す要因が存在しているときでも、省エネルギーモードの移行要求があると、機器のモードを省エネルギーモードに移行させ、その際に、警告がある旨の表示を省エネルギーモードの状態でも行なう処理をコンピュータに実行させるためのプログラムを記録したコンピュータ読み取り可能な記録媒体である。
【発明の効果】
【００１９】
請求項１乃至請求項１３記載の発明によれば、通常モード時に省エネルギーモードへの移行要求が有った場合、何らかの警告を表示する要因が発生している最中でも、警告表示機能を損なうことなく省エネルギーモードに移行させることができるため、操作性を損なうことなく、消費電力の削減を図ることができる。
【００２０】
特に、請求項２記載の発明によれば、記録紙エンド（記録紙無し）の状態で省エネルギーモードに移行したときも、警告がある旨をオペレータに伝えることができ、かつ、記録紙を充填する作業を行うと、省エネルギーモードから通常モードに復帰し、記録紙充填を検出できるため、操作性を損なうことなく、消費電力の削減を図ることができる。
【００２１】
また、請求項３記載の発明によれば、ドア開（ドアオープン）の状態で省エネルギーモードに移行したときも、警告がある旨をオペレータに伝えることができ、かつ、ドアを閉じる作業を行うと、省エネルギーモードから通常モードに復帰し、ドア閉を検出できるため、操作性を損なうことなく、消費電力の削減を図ることができる。
【００２２】
また、請求項４記載の発明によれば、トナーエンドの状態で省エネルギーモードに移行したときも、警告がある旨をオペレータに伝えることができ、かつ、トナーを充填する作業を行うと、省エネルギーモードから通常モードに復帰し、トナー充填を検出できるため、操作性を損なうことなく、消費電力の削減を図ることができる。
【００２３】
また、請求項５記載の発明によれば、記録紙ジャムの状態で省エネルギーモードに移行したときも、警告がある旨をオペレータに伝えることができ、かつ、記録紙ジャム除去作業を行うと、省エネルギーモードから通常モードに復帰し、記録紙ジャム除去を検出できるため、操作性を損なうことなく、消費電力の削減を図ることができる。
【００２４】
また、請求項６記載の発明によれば、原稿ジャムの状態で省エネルギーモードに移行したときも、警告がある旨をオペレータに伝えることができ、かつ、原稿ジャム除去作業を行うと、省エネルギーモードから通常モードに復帰し、原稿ジャム除去を検出できるため、操作性を損なうことなく、消費電力の削減を図ることができる。
【００２５】
また、請求項７記載の発明によれば、通常モード時に省エネルギーモードへの移行要求が有った場合、何らかの警告を表示する要因が発生している最中でも、警告要因を表示する機能を、警告専用の表示灯を点灯することにより実現することで、警告表示機能を損なうことなく省エネルギーモードに移行させることができ、操作性を損なうことなく、更に消費電力の削減を図ることができる。
【００２６】
また、請求項８記載の発明によれば、通常モード時に省エネルギーモードへの移行要求が有った場合、何らかの警告を表示する要因が発生している最中でも、警告要因を表示する機能を、省エネルギーモードであることを示す表示部を点滅させることにより実現することで、警告表示機能を損なうことなく省エネルギーモードに移行させることができ、操作性を損なうことなく、更に消費電力の削減を図ることができる。
【００２７】
また、請求項９記載の発明によれば、通常モード時に省エネルギーモードへの移行要求が有った場合、何らかの警告を表示する要因が発生している最中でも、警告要因を表示する機能を、省エネルギーモードであることを示す表示部の色を変えることにより実現することで、警告表示機能を損なうことなく省エネルギーモードに移行させることができ、操作性を損なうことなく、更に消費電力の削減を図ることができる。
【発明を実施するための最良の形態】
【００２８】
以下、本発明を実施するための最良の形態を図面に基づいて説明する。
【００２９】
（第１の形態）
本発明の第１の形態は、待機時に消費電力を抑制する省エネルギーモードを機器のモードの１つとして備えている電子機器であって、警告がある旨を表示する表示手段を省エネルギーモード時にも制御可能な表示部として備え、また機器のモードを省エネルギーモードに移行させる移行手段を備え、何らかの警告を示す要因が存在しているときでも、オペレータの命令等の、省エネルギーモードの移行要求があると、前記移行手段は、機器のモードを省エネルギーモードに移行させ、その際に、前記表示部は、警告がある旨の表示を省エネルギーモードの状態でも行なうようになっていることを特徴としている。
【００３０】
本発明の第１の形態では、通常モード時に省エネルギーモードへの移行要求が有った場合、何らかの警告を表示する要因が発生している最中でも、警告表示機能を損なうことなく省エネルギーモードに移行させることができるため、操作性を損なうことなく、消費電力の削減を図ることができる。
【００３１】
（第２の形態）
本発明の第２の形態は、第１の形態の電子機器において、省エネルギーモード時に記録紙エンドの警告を示すべき要因が存在しているときにも、オペレータの命令等の、省エネルギーモードの移行要求があると、前記移行手段は、機器のモードを省エネルギーモードに移行させ、その際に、前記表示部は、警告がある旨の表示を省エネルギーモードの状態でも行なうようになっており、例えば記録紙ドア開閉等の記録紙充填のきっかけになりうる事象の検出機能を省エネルギーモードからの復帰要求として備えていることを特徴としている。
【００３２】
本発明の第２の形態では、記録紙エンド（記録紙無し）の状態で省エネルギーモードに移行したときも、警告がある旨をオペレータに伝えることができ、かつ、記録紙を充填する作業を行うと、省エネルギーモードから通常モードに復帰し、記録紙充填を検出できるため、操作性を損なうことなく、消費電力の削減を図ることができる。
【００３３】
（第３の形態）
本発明の第３の形態は、第１の形態の電子機器において、省エネルギーモード時にドア開の警告を示すべき要因が存在しているときにも、オペレータの命令等の、省エネルギーモードの移行要求があると、前記移行手段は、機器のモードを省エネルギーモードに移行させ、その際に、前記表示部は、警告がある旨の表示を省エネルギーモードの状態でも行なうようになっており、ドア閉の検出機能を省エネルギーモードからの復帰要求として備えていることを特徴としている。
【００３４】
本発明の第３の形態では、ドア開（ドアオープン）の状態で省エネルギーモードに移行したときも、警告がある旨をオペレータに伝えることができ、かつ、ドアを閉じる作業を行うと、省エネルギーモードから通常モードに復帰し、ドア閉を検出できるため、操作性を損なうことなく、消費電力の削減を図ることができる。
【００３５】
（第４の形態）
本発明の第４の形態は、第１の形態の電子機器において、省エネルギーモード時にトナーエンドの警告を示すべき要因が存在しているときにも、オペレータの命令等の、省エネルギーモードの移行要求があると、前記移行手段は、機器のモードを省エネルギーモードに移行させ、その際に、前記表示部は、警告がある旨の表示を省エネルギーモードの状態でも行なうようになっており、例えばトナーカバー開閉等のトナー充填のきっかけになりうる事象の検出機能を省エネルギーモードからの復帰要求として備えていることを特徴としている。
【００３６】
本発明の第４の形態では、トナーエンドの状態で省エネルギーモードに移行したときも、警告がある旨をオペレータに伝えることができ、かつ、トナーを充填する作業を行うと、省エネルギーモードから通常モードに復帰し、トナー充填を検出できるため、操作性を損なうことなく、消費電力の削減を図ることができる。
【００３７】
（第５の形態）
本発明の第５の形態は、第１の形態の電子機器において、省エネルギーモード時に記録紙ジャムの警告を示すべき要因が存在しているときにも、オペレータの命令等の、省エネルギーモードの移行要求があると、前記移行手段は、機器のモードを省エネルギーモードに移行させ、その際に、前記表示部は、警告がある旨の表示を省エネルギーモードの状態でも行なうようになっており、例えば記録紙ドア開閉等の記録紙ジャム排除のきっかけになりうる事象の検出機能を省エネルギーモードからの復帰要求として備えていることを特徴としている。
【００３８】
本発明の第５の形態では、記録紙ジャムの状態で省エネルギーモードに移行したときも、警告がある旨をオペレータに伝えることができ、かつ、記録紙ジャム除去作業を行うと、省エネルギーモードから通常モードに復帰し、記録紙ジャム除去を検出できるため、操作性を損なうことなく、消費電力の削減を図ることができる。
【００３９】
（第６の形態）
本発明の第６の形態は、第１の形態の電子機器において、省エネルギーモード時に原稿ジャムの警告を示すべき要因が存在しているときにも、オペレータの命令等の、省エネルギーモードの移行要求があると、前記移行手段は、機器のモードを省エネルギーモードに移行させ、その際に、前記表示部は、警告がある旨の表示を省エネルギーモードの状態でも行なうようになっており、例えば原稿ドア開閉等の原稿ジャム排除のきっかけになりうる事象の検出機能を省エネルギーモードからの復帰要求として備えていることを特徴としている。
【００４０】
本発明の第６の形態では、原稿ジャムの状態で省エネルギーモードに移行したときも、警告がある旨をオペレータに伝えることができ、かつ、原稿ジャム除去作業を行うと、省エネルギーモードから通常モードに復帰し、原稿ジャム除去を検出できるため、操作性を損なうことなく、消費電力の削減を図ることができる。
【００４１】
（第７の形態）
本発明の第７の形態は、第１乃至第６のいずれかの形態の電子機器において、前記表示部として、警告専用の表示部が設けられており、省エネルギーモード時に何らかの警告を示すべき要因が存在しているときに、該警告を、警告専用の表示部を点灯することによって表示することを特徴としている。
【００４２】
本発明の第７の形態では、通常モード時に省エネルギーモードへの移行要求が有った場合、何らかの警告を表示する要因が発生している最中でも、警告要因を表示する機能を、警告専用の表示灯を点灯することにより実現することで、警告表示機能を損なうことなく省エネルギーモードに移行させることができ、操作性を損なうことなく、更に消費電力の削減を図ることができる。
【００４３】
（第８の形態）
本発明の第８の形態は、第１乃至第６のいずれかの形態の電子機器において、前記表示部として、省エネルギーモードの状態であることを示す表示部が設けられており、省エネルギーモード時に何らかの警告を示すべき要因が存在しているときに、該警告を、省エネルギーモードの状態であることを示す表示部を点滅させることによって表示することを特徴としている。
【００４４】
本発明の第８の形態では、通常モード時に省エネルギーモードへの移行要求が有った場合、何らかの警告を表示する要因が発生している最中でも、警告要因を表示する機能を、省エネルギーモードであることを示す表示部を点滅させることにより実現することで、警告表示機能を損なうことなく省エネルギーモードに移行させることができ、操作性を損なうことなく、更に消費電力の削減を図ることができる。
【００４５】
（第９の形態）
本発明の第９の形態は、第１乃至第６のいずれかの形態の電子機器において、前記表示部として、省エネルギーモードの状態であることを示す表示部が設けられており、省エネルギーモード時に何らかの警告を示すべき要因が存在しているとき、該警告を、省エネルギーモードの状態であることを示す表示部の色を変えることによって表示することを特徴としている。
【００４６】
本発明の第９の形態では、通常モード時に省エネルギーモードへの移行要求が有った場合、何らかの警告を表示する要因が発生している最中でも、警告要因を表示する機能を、省エネルギーモードであることを示す表示部の色を変えることにより実現することで、警告表示機能を損なうことなく省エネルギーモードに移行させることができ、操作性を損なうことなく、更に消費電力の削減を図ることができる。
【実施例】
【００４７】
以下、本発明の実施例について詳細に説明する。
【００４８】
図１は本発明の実施例の電子機器の構成例を示す図であり、この例では、電子機器は複合機として構成されている。
【００４９】
すなわち、図１において、スキャナ１は原稿画像を所定の解像度で読取るためのものであり、プロッタ２は記録画像を所定の解像度で記録出力するためのものであり、システム制御部３は複合機内部の処理および各要素の処理を行うためのものであり、操作表示部４は複合機を操作するために必要な各種のキーおよび各種の操作ガイダンス用メッセージや時刻表示等を表示する表示器等からなるものであり、通信制御部５はファクシミリ送受信等の通信制御を行うためのものであり、プリンタ制御部６はパソコン等からのプリント命令を処理するためのものである。
【００５０】
図２は図１の複合機において、通常待機時（通常モード時）と省エネルギーモード時に、何らかの警告要因が生じているときの、警告表示についての処理動作を説明するためのフローチャートである。なお、図２の処理は、図１の複合機のシステム制御部３においてなされる。
【００５１】
図２を参照すると、通常モード時に、記録紙エンド（記録紙無し），ドア開（ドアオープン），トナーエンド，記録紙ジャム，原稿ジャム等の各種警告を表示する要因が発生しているか否かを判定し（ステップ２０１）、警告を表示する要因が発生している場合には、操作表示部４に、警告要因に該当する警告表示（アラーム表示）を行う（ステップ２０２）。
【００５２】
この際、本発明では、例えばオペレータの命令，タイムアウト等の、省エネルギーモードへの移行要求（省エネモード移行要求）が発生した場合には（ステップ２０３）、警告要因が発生している最中でも、省エネルギーモード（省エネモード）に移行する（ステップ２０４）。
【００５３】
そして、本発明では、省エネモード時であっても、上述した各種警告を表示する要因が発生しているか否かを判定し（ステップ２０５）、警告を表示する要因が発生している場合には、操作表示部４に、後述するような（図３を用いて詳細に説明するような）省エネ用の警告表示（アラーム表示）を行う（ステップ２０６）。
【００５４】
そして、省エネルギーモード中に、記録紙ドア開閉等の記録紙充填のきっかけとなる要因検出，ドア開（ドアオープン）に対するドアの閉じ検出，トナーカバー開閉等のトナー充填のきっかけとなる要因検出，記録紙ドア開閉等の記録紙ジャム除去のきっかけとなる要因検出，原稿ドア開閉等の原稿ジャム除去のきっかけとなる要因検出等の、通常モードへの復帰要求があった場合（ステップ２０７）、省エネルギーモードから通常モードへ復帰する（ステップ２０８）。なお、図２の一連の処理を行なった後（図２において「終了」に達した後）は、再びステップ２０１に戻り、図２の処理を繰り返す。
【００５５】
図３は図１の複合機の操作表示部４の一例を示す図である。
【００５６】
図３を参照すると、操作表示部４には、省エネルギーモード時に点灯し、オペレータに複合機が省エネルギーモードの状態であることを知らせる表示手段（例えば省エネ状態表示ＬＥＤ）１０を備えている。本発明においては、例えば、通常の省エネルギーモード状態（画像データ等を保持していない場合）時は、このＬＥＤ１０は例えば緑色に点灯している。
【００５７】
そして、省エネルギーモード時で、警告を表示する要因が発生している場合には、専用の警告ＬＥＤ（図示せず）を点灯させるか（第７の形態）、あるいは、上記省エネ状態表示ＬＥＤ１０を点滅させるか（第８の形態）、あるいは、このＬＥＤ１０を橙色に点灯させる（第９の形態）。
【００５８】
上述したように、本発明によれば、通常モード時に省エネルギーモードへの移行要求が有った場合、何らかの警告を表示する要因が発生している最中でも、警告要因を表示する機能を損なうことなく省エネルギーモードに移行し、警告を解除する作業をオペレータが行った場合、速やかに通常モードに復帰し、警告要因が取り除かれた場合には、警告を解除することができる。
【００５９】
なお、本発明を実施するための上述した最良の形態で説明した電子機器における処理（すなわち、何らかの警告を示す要因が存在しているときでも、オペレータの命令等の、省エネルギーモードの移行要求があると、機器のモードを省エネルギーモードに移行させ、その際に、警告がある旨の表示を省エネルギーモードの状態でも行なう処理）は、コンピュータ（例えば図１のシステム制御部３）に実現させるプログラムの形で提供することができる。
【００６０】
また、本発明を実施するための上述した最良の形態で説明した電子機器における処理（すなわち、何らかの警告を示す要因が存在しているときでも、オペレータの命令等の、省エネルギーモードの移行要求があると、機器のモードを省エネルギーモードに移行させ、その際に、警告がある旨の表示を省エネルギーモードの状態でも行なう処理）をコンピュータ（例えば図１のシステム制御部３）に実現させるためのプログラムは、ハードディスク、フロッピー（登録商標）ディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、上記記録媒体から、インターネット等のネットワークを介して配布することができる。
【産業上の利用可能性】
【００６１】
本発明は、ディジタル複写機やＭＦＰ（コピー、ＦＡＸ、プリンター、スキャナー等の複合機）、計測器等に利用可能である。
【図面の簡単な説明】
【００６２】
【図１】本発明の実施例の電子機器の構成例を示す図である。
【図２】本発明の処理の流れを示すフローチャートである。
【図３】図１の操作表示部の一例を示す図である。
【符号の説明】
【００６３】
１          スキャナ
２          プロッタ
３          システム制御部
４          操作表示部
５          通信制御部
６          プリンタ制御部
１０        表示手段
【図１】
2006194922.tif 000003
【図２】
2006194922.tif 000004
【図３】
2006194922.tif 000005